(57)【要約】    人間の爪の形状を考慮して、爪を切るときに爪に不自然な変形を与えることがなく、優しく、穏やかに爪の切断を行うことに適した爪切り。    対向している一方の切断刃の先端部に形成されている一方の刃先と、他方の切断刃の先端部に形成されている他方の刃先とが互いに接近し、両者の間に切断対象の爪を挟んで両者を当接させることにより前記爪を切断する爪切り。前記一方の刃先と、前記他方の刃先は、両者が互いに接近するべく移動する方向に対してそれぞれ直交する方向に、互いに対向して平行に伸びる直線状部分と、当該直線状部分に連続し、互いに対応している曲率で湾曲して伸びる湾曲部分とを備えている。
2013021693.tif 000002
【特許請求の範囲】
【請求項１】
対向している一方の切断刃の先端部に形成されている一方の刃先と、他方の切断刃の先端部に形成されている他方の刃先とが互いに接近し、両者の間に切断対象の爪を挟んで両者を当接させることにより前記爪を切断する爪切りにおいて、
前記一方の刃先と、前記他方の刃先は、両者が互いに接近するべく移動する方向に対してそれぞれ直交する方向に、互いに対向して平行に伸びる直線状部分と、当該直線状部分に連続し、互いに対応している曲率で湾曲して伸びる湾曲部分とを備えている
ことを特徴とする爪切り。
【請求項２】
前記湾曲部分が、前記直線状部分が伸びる方向における前記直線状部分の両側に形成されていることを特徴とする請求項１記載の爪切り。
【請求項３】
前記湾曲部分が、前記直線状部分が伸びる方向における前記直線状部分の一方の側にのみ形成されていることを特徴とする請求項１記載の爪切り。
【請求項４】
前記対向している一方の切断刃と他方の切断刃とは、一枚の板体を中央部で切断して一方の刃部と他方の刃部とに分離し、前記一方の刃部の前記他方の刃部に対向する先端縁を前記一方の刃先とし、前記他方の刃部の前記一方の刃部に対向する先端縁を前記他方の刃先としたものである
ことを特徴とする請求項１又は２記載の爪切り。
【請求項５】
前記一方の切断刃と前記他方の切断刃とが互いに接近及び離反する一対の刃先支持体の先端に、それぞれ、取り付け、取り外し可能に装着されていることを特徴とする請求項４記載の爪切り。
【発明の詳細な説明】
【技術分野】
【０００１】
この発明は爪切りに関する。特に、爪を切るときに爪に不自然な変形を与えることがなく、優しく、穏やかに爪の切断を行うことに適した爪切りに関する。
【背景技術】
【０００２】
対向している一方の切断刃の先端部に形成されている一方の刃先と、他方の切断刃の先端部に形成されている他方の刃先とが互いに接近し、両者の間に切断対象の爪を挟んで前記爪を切断する爪切りについては従来から種々の提案が行われている。【０００３】
人間の爪の形状を考慮して、爪を切るときに爪に不自然な変形を与えることがなく、優しく、穏やかに爪の切断を行うことを目指した爪切りについての提案も以下のように行われている（例えば、特許文献１、２）。【０００４】
図１（ａ）、（ｂ）、図２は、従来の爪切りの一例を表すものである。図１（ａ）、（ｂ）はクリップ型の爪切り、図２はニッパー型の爪切りである。【０００５】
クリップ型の爪切りでは、一般的に、基端側（図１（ａ）における背後側）で互いに一体化されている上板５０と、下板５１の先端（図１（ａ）における正面側）に、切断刃５２と、切断刃５３とが互いに対向して形成されている。上板５０、下板５１の先端側には上下方向に支持ピン５４が挿通されている。支持ピン５４の上板５０側の上端部に、押圧操作板５５の基端側（図１（ａ）における下側）が回動可能に支持されている。【０００６】
押圧操作板５５の基端側には、てこ部５６が形成されている。てこ部５６が、図１（ａ）図示のように、下側に向いて上板５０の上面に当接している状態で、押圧操作板５５の先端側（図１（ａ）における上側）５５ａを、支持ピン５４に回動可能に支持されている基端側を中心にして押し下げる。これによって、てこ部５６が上板５０の上面を押圧し、上側の切断刃５２の先端部に形成されている刃先５７と、下側の切断刃５３の先端部に形成されている刃先５８とが、矢印６０、６１で示すように、互いに接近する。こうして、上側の刃先５７と、対向する下側の刃先５８との間に切断対象の爪（不図示）が挟まれ、切断されるようになっている。【０００７】
ニッパー型の爪切りでは、一般的に、一方のレバー７１のヒンジ部７１ａに固定されている軸７２に、他方のレバー７０のヒンジ部７０ａが回動可能に取り付けられている。そして、レバー７０、７１の先端側に形成されている切断刃７３と、切断刃７４とが互いに対向している。切断刃７３、切断刃７４の互いに対向する先端部にはそれぞれ刃先（不図示）が形成されている。図示の従来例では、この刃先は、互いに対応している曲率で湾曲している構造になっている。切断刃７３の先端部に形成されている刃先が凸湾しているコンベックス刃先であり、切断刃７４の先端部に形成されている刃先が凹湾しているコンケーブ刃先である。【０００８】
軸７２を中心にしてレバー７０、７１を矢印７５、７６で示すように握ると、切断刃７３の先端部に形成されている一方の刃先と、切断刃７４の先端部に形成されている他方の刃先とが、矢印７７、７８で示すように、互いに接近する。これによって、両者の間に切断対象の爪（不図示）が挟まれ、切断される。【０００９】
ところで、切断対象の人間の爪は、爪の先端側から見たときに、様々な形状になっているのが一般的である。例えば、爪の先端側から見たときに、中央部から左右両側に向かうにつれて下向きに湾曲していたり、中央部が平らで左右が湾曲している形状になっていることがある。また、爪の先端側から見たときに、左側から右側まで全部が平らな形状である場合もある。【００１０】
図１（ａ）、（ｂ）、図２図示の従来の爪切りは、このような人間の爪の形状、構造を考慮して提案されたものである。図１（ａ）、（ｂ）図示の従来の爪切りでは、対向している上側の刃先５７と、下側の刃先５８とが、それぞれ、中央部５７ａ、５８ａから左右両側に離れるにしたがって、下側に向かって、互いに、対応している曲率で湾曲する構造になっていた。図２図示の従来の爪切りでは、対向している切断刃７３、７４の先端部に形成されている刃先を、それぞれ、互いに対応している曲率で湾曲しているコンベックス刃先、コンケーブ刃先にする構造が採用されていた。これによって、人間の爪の形状を考慮して、爪を切るときに爪に不自然な変形を与えることがなく、優しく、穏やかに爪の切断を行うことが目指されていた。
【先行技術文献】
【特許文献】
【００１１】
【特許文献１】特開２００１−４６１４２号公報
【特許文献２】米国特許第４６３７１３７号公報
【発明の概要】
【発明が解決しようとする課題】
【００１２】
人間の爪の形状を考慮して、爪を切るときに爪に不自然な変形を与えることがなく、優しく、穏やかに爪の切断を行うことを目指した爪切りについては従来から種々提案されていたが、いまだに改善すべき余地が残っていた。【００１３】
そこで、この発明は、人間の爪の形状を考慮して、爪を切るときに爪に不自然な変形を与えることがなく、優しく、穏やかに爪の切断を行うことにより適した爪切りを提案することを目的にしている。
【課題を解決するための手段】
【００１４】
請求項１記載の発明は、
対向している一方の切断刃の先端部に形成されている一方の刃先と、他方の切断刃の先端部に形成されている他方の刃先とが互いに接近し、両者の間に切断対象の爪を挟んで前記爪を切断する爪切りにおいて、
前記一方の刃先と、前記他方の刃先は、両者が互いに接近するべく移動する方向に対してそれぞれ直交する方向に、互いに対向して平行に伸びる直線状部分と、当該直線状部分に連続し、互いに対応している曲率で湾曲して伸びる湾曲部分とを備えている
ことを特徴とする爪切り
である。【００１５】
請求項２記載の発明は、
前記湾曲部分が、前記直線状部分が伸びる方向における前記直線状部分の両側に形成されていることを特徴とする請求項１記載の爪切り
である。【００１６】
請求項３記載の発明は、
前記湾曲部分が、前記直線状部分が伸びる方向における前記直線状部分の一方の側にのみ形成されていることを特徴とする請求項１記載の爪切り
である。【００１７】
請求項４記載の発明は、
前記対向している一方の切断刃と他方の切断刃とは、一枚の板体を中央部で切断して一方の刃部と他方の刃部とに分離し、前記一方の刃部の前記他方の刃部に対向する先端縁を前記一方の刃先とし、前記他方の刃部の前記一方の刃部に対向する先端縁を前記他方の刃先としたものである
ことを特徴とする請求項１又は２記載の爪切り
である。【００１８】
請求項５記載の発明は、
前記一方の切断刃と前記他方の切断刃とが互いに接近及び離反する一対の刃先支持体の先端に、それぞれ、取り付け、取り外し可能に装着されていることを特徴とする請求項４記載の爪切り
である。
【発明の効果】
【００１９】
この発明によれば、人間の爪の形状を考慮して、爪を切るときに爪に不自然な変形を与えることがなく、優しく、穏やかに爪の切断を行うことにより適した爪切りを提供することができる。
【図面の簡単な説明】
【００２０】
【図１】従来のクリップ型の爪切りの一例を表す図であって、（ａ）は使用する状態における正面図、（ｂ）は図１（ａ）における刃先部の拡大正面図。
【図２】従来のニッパー型の爪切りの一例を表す側面図。
【図３】この発明のクリップ型の爪切りの一例を表す図であって、（ａ）は使用する状態における正面図、（ｂ）は図３（ａ）における刃先部の拡大正面図。
【図４】図３図示のこの発明のクリップ型の爪切りの使用していない状態における一部を省略した斜視図。
【図５】この発明のニッパー型の爪切りの一例を表す図であって、（ａ）は対向する刃先を開いている状態の側面図、（ｂ）は対向する刃先を閉じている状態の側面図。
【図６】（ａ）一枚の板体を中央部で切断して本発明の爪切りに採用される切断刃を形成する状態を説明する平面図、（ｂ）図６（ａ）図示の切断刃が取り付けられる一対の刃先支持体の先端部を表す平面図、（ｃ）図６（ａ）図示の切断刃が図６（ｂ）図示の一対の刃先支持体の先端部に取り付けられた状態を説明する平面図。
【図７】図６（ａ）図示の切断刃が採用されている本発明の爪切りの一例を表す側面図。
【発明を実施するための形態】
【００２１】
以下、添付図面を参照して本発明の好ましい実施形態を説明する。
【００２２】
図３（ａ）、（ｂ）図示の本発明の爪切り１はクリップ型の爪切りであって、その基本的な構造は、図１（ａ）、（ｂ）を用いて説明した従来のクリップ型の爪切りと同一である。
【００２３】
上板２と、下板３とは、基端側（図３（ａ）における背後側、図４における左側）で互いに一体化されている。この上板２と下板３の先端（図３（ａ）における正面側、図４における右側）に、切断刃４と、切断刃５とが互いに対向して形成されている。上板２、下板３の先端側には上下方向に支持ピン６が挿通されている。支持ピン６の上板２側の上端部に、押圧操作板７の基端側（図３（ａ）における下側、図４における右側）が回動可能に支持されている。
【００２４】
押圧操作板７の基端側には、てこ部８が形成されている。てこ部８が、図３（ａ）図示のように、下側に向いて上板２の上面に当接している状態で、押圧操作板７の先端側７ａを、支持ピン６に回動可能に支持されている基端側を中心にして押し下げる。これによって、てこ部８が上板２の上面を押圧し、切断刃４の先端部に形成されている刃先９と、切断刃５の先端部に形成されている刃先１０とが、矢印１１、１２で示すように、互いに接近する。こうして、上側の刃先９と、対向する下側の刃先１０との間に切断対象の爪（不図示）が挟まれ、切断される。
【００２５】
本発明の爪切り１においては、図３（ｂ）に要部を拡大して表したように、対向している刃先９と、刃先１０とは、両者が互いに接近するべく移動する矢印１１、１２で示す方向に対してそれぞれ直交する方向に、互いに対向して平行に伸びる直線状部分９ａ、１０ａを備えている。更に、刃先９、刃先１０は、前記の直線状部分９ａ、１０ａに連続し、互いに対応している曲率で湾曲して伸びる湾曲部分９ｂ、９ｃ、１０ｂ、１０ｃを備えている。
【００２６】
図３（ａ）、（ｂ）図示のクリップ型の爪切り１の場合、湾曲部分９ｂ、９ｃ、１０ｂ、１０ｃは、直線状部分９ａ、１０ａが伸びる方向における直線状部分９ａ、１０ａの両側に形成されている。
【００２７】
すなわち、図３（ａ）、（ｂ）図示の本発明の爪切り１では、対向している刃先９、刃先１０の中央側に、両者が互いに接近するべく矢印１１、１２で示す方向に移動するときに、この移動する方向に対して、直交する方向に、互いに対向して平行に伸びる直線状部分９ａ、１０ａが配備されている。そして、刃先９、刃先１０の中央部における直線状部分９ａ、１０ａに連続して、直線状部分９ａ、１０ａが伸びる方向における直線状部分９ａ、１０ａの両側に、それぞれ、互いに対応している曲率で、図において下側方向に向かって、湾曲して伸びる湾曲部分９ｂ、９ｃ、１０ｂ、１０ｃが配備されている。
【００２８】
そこで、この発明の爪切り１によって爪を切断する場合、人間の様々な爪の形状に適切に対応させて、爪を切るときに爪に不自然な変形を与えず、優しく、穏やかに爪の切断を行うことができる
例えば、爪の先端側から見たときに、中央部から左右両側に向かうにつれて下向きに湾曲している爪は、図３（ｂ）中、刃先９、１０の符号９ｂと符号１０ｂとで示されている湾曲している部分、あるいは、符号９ｃと符号１０ｃとで示されている湾曲している部分によって切断を行う。
【００２９】
また、中央部が平らで左右が湾曲している爪については、中央の平らな個所を、図３（ｂ）中、刃先９、１０の符号９ａと符号１０ａとで示されている互いに対向して平行に伸びる直線状部分で切断する。そして、左右の湾曲している箇所は、図３（ｂ）中、刃先９、１０の符号９ｂと符号１０ｂとで示されている湾曲している部分、あるいは、符号９ｃと符号１０ｃとで示されている湾曲している部分によって切断する。
【００３０】
そして、爪の先端側から見たときに、左側から右側まで全部が平らな形状である爪については、図３（ｂ）中、刃先９、１０の符号９ａと符号１０ａとで示されている互いに対向して平行に伸びる直線状部分で切断する。
【００３１】
図１（ａ）、（ｂ）、図２に図示して説明した従来の爪切りの場合、上述したような３種類の異なる形状の爪、全てに適切に対応して、優しく爪を切ることは難しかった。
【００３２】
本発明の爪切り１によれば、上述したような３種類の異なる形状の爪、全てに適切に対応して、爪を切るときに爪に不自然な変形を与えず、優しく、穏やかに爪の切断を行うことができる。
【００３３】
図５（ａ）、（ｂ）図示の本発明の爪切り３１はニッパー型の爪切りであって、その基本的な構造は、図２を用いて説明した従来のニッパー型の爪切りと同一である。
【００３４】
一方のレバー２１のヒンジ部２１ａに固定されている軸２２に、他方のレバー２０のヒンジ部２０ａが回動可能に取り付けられている。そして、レバー２０、２１の先端側に形成されている切断刃２３と、切断刃２４とが互いに対向している。切断刃２３、切断刃２４の互いに対向する先端部にはそれぞれ刃先２５、２６が形成されている。
【００３５】
軸２２を中心にしてレバー２０、２１を矢印２７、２８で示すように握ると、切断刃２３の先端部に形成されている刃先２５と、切断刃２４の先端部に形成されている刃先２６とが、矢印２９、３０で示すように、互いに接近する。これによって、両者の間に切断対象の爪（不図示）が挟まれ、切断される。
【００３６】
本発明の爪切り３１においては、互いに対向している刃先２５と、刃先２６とは、両者が互いに接近するべく移動する矢印２９、３０で示す方向に対してそれぞれ直交する方向に、互いに対向して平行に伸びる直線状部分２５ａ、２６ａを備えている。更に、刃先２５と、刃先２６とは、前記の直線状部分２５ａ、２６ａに連続し、互いに対応している曲率で湾曲して伸びる湾曲部分２５ｂ、２６ｂを備えている。
【００３７】
図５（ａ）、（ｂ）図示のニッパー型の爪切り３１の場合、湾曲部分２５ｂ、２６ｂは、直線状部分２５ａ、２６ａが伸びる方向における直線状部分２５ａ、２５ａの一方の側に形成されている。
【００３８】
すなわち、図５（ａ）、（ｂ）図示の本発明の爪切り３１では、対向している刃先２５、刃先２６に、両者が互いに接近するべく矢印２９、３０で示す方向に移動するときに、この移動する方向に対して、直交する方向に、互いに対向して平行に伸びる直線状部分２５ａ、２６ａが配備されている。そして、刃先２５、刃先２６における直線状部分２５ａ、２６ａに連続して、互いに対応している曲率で湾曲して伸びる湾曲部分２５ｂ、２６ｂがそれぞれ備えられている。
【００３９】
そこで、本発明のニッパー型の爪切り３１の場合、対向している刃先２５、２６がこのような特徴的な構造を備えているので、爪を切るときに、人間の爪の形状に適切に対応して、爪に不自然な変形を与えず、優しく、穏やかに爪の切断を行うことができる。
【００４０】
例えば、爪の先端側から見たときに、中央部から左右両側に向かうにつれて下向きに湾曲している爪は、図５（ａ）中、刃先２５、２６の符号２５ｂと符号２６ｂとで示されている湾曲している部分によって切断を行う。
【００４１】
また、中央部が平らで左右が湾曲している爪については、中央の平らな個所を、図５（ａ）中、刃先２５、２６の符号２５ａと符号２６ａとで示されている互いに対向して平行に伸びる直線状部分で切断する。そして、左右の湾曲している箇所は、図５（ａ）中、刃先２５、２６の符号２５ｂと符号２６ｂとで示されている湾曲している部分によって切断する。
【００４２】
そして、爪の先端側から見たときに、左側から右側まで全部が平らな形状である爪については、図５（ａ）中、刃先２５、２６の符号２５ａと符号２６ａとで示されている互いに対向して平行に伸びる直線状部分で切断する。
【００４３】
図１（ａ）、（ｂ）、図２に図示して説明した従来の爪切りの場合、上述したような３種類の異なる形状の爪、全てに適切に対応して、優しく爪を切ることは難しかった。
【００４４】
本発明の爪切り３１によれば、上述述したような３種類の異なる形状の爪、全てに適切に対応して、爪を切るときに爪に不自然な変形を与えず、優しく、穏やかに爪の切断を行うことができる。
【００４５】
図６（ａ）は本発明の爪切りに採用される切断刃の一例を説明するものである。
【００４６】
上記で説明した本発明の爪切りにおける対向している一方の切断刃と他方の切断刃とは、一枚の板体を中央部で切断して形成することができる。
【００４７】
例えば、図６（ａ）図示のように、一枚の金属製の薄い板体を中央部で切断し、図６（ａ）において左側に表されている一方の刃部と、図６（ａ）において右側に表されている他方の刃部とに分離する。そして、一方の刃部の他方の刃部に対向する先端縁を一方の刃先とし、また、他方の刃部の一方の刃部に対向する先端縁を他方の刃先とするものである。
【００４８】
この際、一方の刃部の他方の刃部に対向する先端縁により形成される一方の刃先のみを研削しておくことができる。あるいは、他方の刃部の一方の刃部に対向する先端縁により形成される他方の刃先のみを研削しておくことができる。また、一方の刃部の他方の刃部に対向する先端縁に形成される一方の刃先と、他方の刃部の一方の刃部に対向する先端縁に形成される他方の刃先との双方を研削しておくこともできる。
【００４９】
図６（ａ）図示の実施形態では、左側に表されている一方の刃部が、刃先９０を備えた切断刃８５に形成され、右側に表されている他方の刃部が、刃先８９を備えた切断刃８４に形成されている。
【００５０】
刃先８９と、刃先９０とが、両者が互いに接近するべく移動する矢印１１、１２で示す方向に対してそれぞれ直交する方向に、互いに対向して平行に伸びる直線状部分８９ａ、９０ａを備えると共に、直線状部分８９ａ、９０ａに連続し、互いに対応している曲率で湾曲して伸びる湾曲部分８９ｂ、８９ｃ、９０ｂ、９０ｃを備えているものであることは前述した図３（ａ）、（ｂ）図示の実施形態と同様である。
【００５１】
なお、爪切りの切断刃に適した一枚の薄い板体をプレス切断などによって中央部で切断する際に、前記のように形成した切断刃８４、８５を支持体に取り付ける際に使用する取付孔９１、９２も設けておく。
【００５２】
このように爪切りの切断刃に適した一枚の薄い板体をプレス切断などによって中央部で切断して形成した切断刃８４、８５は、一方の刃先８９と他方の刃先９０とが矢印１１、１２で示す方向で互いに接近し、両者の間に切断対象の爪を挟んで両者を当接させることにより前記爪を切断するように、互いに接近及び離反する一対の刃先支持体の先端に、それぞれ、取り付け、取り外し可能に装着されて、本発明の爪切りとすることができる。
【００５３】
図６（ｂ）、（ｃ）、図７は、前述した切断刃８４、８５が取り付けられているニッパー型の爪切り８０の一例を説明するものである。
【００５４】
図６（ｂ）、（ｃ）、図７図示の爪切り８０において、一方のレバー２１のヒンジ部２１ａに固定されている軸２２に、他方のレバー２０のヒンジ部２０ａが回動可能に取り付けられている点は、図５（ａ）、（ｂ）図示の爪切り３１と同様である。
【００５５】
この爪切り８０では、レバー２０、２１の先端側にそれぞれ形成されている切断刃取付部８１、８２に、切断刃８４、８５を取り付ける構造となっている。切断刃取付部８１、８２はレバー２０、２１のヒンジ部２０ａ、２１ａにそれぞれ形成されており、一方の刃先８９と他方の刃先９０とが矢印１１、１２で示す方向で互いに接近し、両者の間に切断対象の爪を挟んで両者を当接させることにより爪を切断するように、互いに接近及び離反する一対の刃先支持体の先端を構成するようになっている。
【００５６】
切断刃８４、８５の刃先８９、９０は図３（ａ）、（ｂ）で説明した本発明の爪切り１の刃先９、１０と同様の構造になっているので、図３（ａ）、（ｂ）図示の実施例で説明したように、異なる形状の爪、全てに適切に対応して、爪を切るときに爪に不自然な変形を与えず、優しく、穏やかに爪の切断を行うことができる。
【００５７】
いずれにしても、図６（ａ）図示の実施例では、一枚の板体を中央部で切断して一方の刃部と他方の刃部とに分離し、前記一方の刃部の前記他方の刃部に対向する先端縁を前記一方の刃先とし、前記他方の刃部の前記一方の刃部に対向する先端縁を前記他方の刃先にすることによって、前述した対向している一方の切断刃と他方の切断刃とを形成している。そこで、爪を切るときに刃先８９と刃先９０との間を隙間のない完璧な閉状態にすることができる。すなわち、図６（ａ）図示の実施例で説明したようにして前述した対向している一方の切断刃と他方の切断刃とを形成することにより、爪を切るときに対向している刃先同士の間を隙間のない完璧な閉状態にすることができ、いかなる形の刃についてもこれを可能にすることができる。
【００５８】
切断刃８４、８５が一枚の板体を切断して形成したものである点、こうして準備した切断刃が、互いに接近及び離反する一対の刃先支持体の先端に、それぞれ、取り付け、取り外し可能に装着されている点以外は、前述した実施形態と同様であるので、図３（ａ）、（ｂ）、図５（ａ）、（ｂ）で説明した部分には同一の符号をつけてその説明を省略する。
【００５９】
切断刃８４、８５を切断刃８１、８２に取り付ける場合、切断刃８４、８５の取付孔９１、９２を介して、切断刃取付部８１、８２に穿設されているネジ孔８６、８７にボルトなどの固定金具９２、９３を螺合する（図６（ｃ））。
【００６０】
このように、レバー２０、２１の先端側にそれぞれ形成されている切断刃取付部８１、８２に、切断刃８４、８５を取り付ける構造とすることで、刃先８９、９０が摩耗した場合には切断刃８４、８５を研磨済の新しい切断刃に簡単に交換することができる。
【００６１】
なお、切断刃取付部８１、８２に、切断刃８４、８５を取り付ける手段として、切断刃８１、８２の取付孔９１、９２を介して、切断刃取付部８１、８２に穿設されているネジ孔８６、８７にボルトなどの固定金具９２、９３を螺合する方法を一例として説明したが、この手段に限定されることなく、他の取り付け手段も採用することができる。
【００６２】
以上、添付図面を参照して本発明の好ましい実施形態を説明したが、本発明はかかる実施形態に限定されることなく、特許請求の範囲の記載から把握される技術的範囲において種々に変更可能である。
【符号の簡単な説明】
【００６３】
１      爪切り
４      切断刃
５      切断刃
９      刃先
９ａ    直線状部分
９ｂ、９ｃ  湾曲部分
１０    刃先
１０ａ  直線状部分
１０ｂ、１０ｃ  湾曲部分
３１    爪切り
２３    切断刃
２４    切断刃
２５    刃先
２５ａ  直線状部分
２５ｂ  湾曲部分
２６    刃先
２６ａ  直線状部分
２６ｂ  湾曲部分
１１、１２  対向する刃先が互いに接近するべく移動する方向
２９、３０  対向する刃先が互いに接近するべく移動する方向
８１、８２  切断刃取付部
８４、８５  切断刃
８６、８７  ネジ孔
８９  刃先
８９ａ  直線状部分
８９ｂ、８９ｃ  湾曲部分
９０  刃先
９０ａ  直線状部分
９０ｂ、９０ｃ  湾曲部分
９１、９２、取付孔
９３  固定金具
【図１】
2013021693.tif 000003
【図２】
2013021693.tif 000004
【図３】
2013021693.tif 000005
【図４】
2013021693.tif 000006
【図５】
2013021693.tif 000007
【図６】
2013021693.tif 000008
【図７】
2013021693.tif 000009
【国際調査報告】
2013021693.tif 000010
2013021693.tif 000011